(57)【要約】【課題】シャワーを浴びやすくすることができると同時に手摺を使いやすくすることができるシャワーハンガ付き手摺Ａの提供を目的とする。【解決手段】壁面２に固定されるブラケット３により壁面２から離れて取り付けられる手摺杆１と、  手摺杆１に連結され、手摺杆１から壁面２に対して斜め方向で、かつ壁面側の位置でシャワーヘッド４を保持するとともに、シャワーヘッド４から垂下するシャワーホース５を手摺杆１に対して指先がスムーズに挿入できる程度の間隔以上離れた壁面側にガイドするシャワーハンガ６とを有するシャワーハンガ付き手摺Ａを構成する。【選択図】  図３
2006187486.tif 000002
【特許請求の範囲】
【請求項１】
壁面に固定されるブラケットにより壁面から離れて取り付けられる手摺杆と、
手摺杆に連結され、手摺杆から壁面に対して斜め方向で、かつ壁面側の位置でシャワーヘッドを保持するとともに、シャワーヘッドから垂下するシャワーホースを手摺杆に対して指先がスムーズに挿入できる程度の間隔以上離れた壁面側にガイドするシャワーハンガとを有するシャワーハンガ付き手摺。
【発明の詳細な説明】
【技術分野】
【０００１】
本発明はシャワーハンガ付き手摺に関するものである。
【背景技術】
【０００２】
従来、シャワーハンガ付き手摺としては特許文献１に記載されたものが知られている。この従来例において、シャワーハンガ付き手摺は、ブラケットによって浴室の壁面に固定される手すりバーと、この手すりバーに対してスライド自在に連結されるシャワーハンガーとを有し、手摺として使用される手すりバーを介して該手すりバー前面においてシャワーヘッドを保持する。
【特許文献１】実用新案登録第３０９７９３９号公報
【発明の開示】
【発明が解決しようとする課題】
【０００３】
上記従来例におけるように、近年、身体を洗うときの腰掛けた姿勢のままでシャワーを浴びやすく、また、シャワー後に立ち上がる際などにおいて支えとなるように、シャワーハンガと手摺を備えた浴室設備が求められている。
【０００４】
しかしながら、シャワーハンガには、保持するシャワーヘッドからの散水によってシャワーを浴びやすいように、一般的には水栓やカウンタなどの他の設備の配置や浴室のスペースの都合から壁面周辺においてシャワーを浴びやすいように、その取り付け位置が要求される。一方、手摺には、一般的に、使用時において把持しやすく、不使用時において邪魔にならないように、壁面に対する適正な取り付け間隔が要求される。
【０００５】
したがって、上記従来例のようにシャワーハンガによるシャワーヘッドの保持位置を手摺の前方、すなわち浴室内方側にしてしまうと、手摺の分だけシャワーの散水範囲が浴室内方側に設定され、身体を洗う位置から浴室内方側に移動しなければシャワーを適切に浴びることができなくなったり、あるいはシャワーを浴びた位置のままでは手摺に手が十分に届かなくなったりしてしまう。また、これを防ぐために手摺を壁面に近接させたり、あるいは細くしたりしてしまうと、今度は手摺自体が把持しにくくなってしまう。
【０００６】
さらに、シャワーヘッドの保持位置が手摺の前方であると、シャワーホースが手摺の前方に垂れ下がることになり、このことによっても手摺が掴みにくくなってしまう。
【０００７】
本発明は以上の欠点を解消すべくなされたものであって、シャワーを浴びやすくすることができると同時に手摺を使いやすくすることができるシャワーハンガ付き手摺の提供を目的とする。
【課題を解決するための手段】
【０００８】
本発明によれば上記目的は、
壁面２に固定されるブラケット３により壁面２から離れて取り付けられる手摺杆１と、
手摺杆１に連結され、手摺杆１から壁面２に対して斜め方向で、かつ壁面側の位置でシャワーヘッド４を保持するとともに、シャワーヘッド４から垂下するシャワーホース５を手摺杆１に対して指先がスムーズに挿入できる程度の間隔以上離れた壁面側にガイドするシャワーハンガ６とを有するシャワーハンガ付き手摺を提供することにより達成される。
【０００９】
本発明によれば、手摺杆１の壁面２に対する相対位置などを変えることなくシャワーヘッド４を壁面２に近接させることができ、同時に手摺杆１とシャワーヘッド４との相対位置を遠離させることができるために、手摺杆１の壁面２との適正な取り付け間隔などを維持して手摺杆１自体を把持しやすくできるとともに、水栓等を使用して身体を洗った位置においてシャワーを適切に浴びることができ、かつ、そのままの位置で手摺杆１をしっかりと把持することができる。また、手摺杆１から壁面２に対して斜め方向で、かつ壁面側の位置でシャワーヘッド４を保持することにより、シャワーホース５を手摺杆１の壁面２側における離れた位置にガイドすることができ、シャワーを浴びる位置である手摺杆１前方から手摺杆１を把持しやすくすることができる。この場合におけるシャワーホース５と手摺杆１の間隔は、手摺杆１を把持しやすいように、すなわち指先をスムーズに挿入できるように、例えば５０ｍｍ程度以上に設定することが望ましい。
【００１０】
上記シャワーハンガ６は手摺杆１に固定することも可能であるが、手摺杆１に対して可動にした場合には、上述した従来例のように手摺杆１に沿ってシャワーハンガ６をスライド自在にしたり、あるいは回転自在にしたりすることが可能となり、使い勝手をより向上でき、あるいは身体を洗った位置から手が十分に届く範囲にシャワーヘッド４を移動させたりすることなどが可能となる。なお、回転自在にする場合には、上述したように手摺杆１を掴みやすくできる範囲などを考慮して回転可能範囲を設定することが望ましい。また、上記従来例のようにシャワーヘッド４を保持する部位を断面Ｃ字形状に形成する場合には、上記回転可能範囲においてシャワーヘッド４を着脱しやすいように、すなわちこの範囲においてシャワーホース５を挿抜するための開放端が前方を向くように、シャワーハンガ６に開放端を配置することが望ましい。
【００１１】
なお、シャワーハンガ６によるシャワーヘッド４の保持位置は、浴室のレイアウトなどを考慮して手摺杆１の右斜め後方あるいは左斜め後方のいずれかに適宜設定することが可能であり、さらに、手摺杆１の鉛直方向や水平方向などの壁面２設置時の向きや形状などについても適宜決定することが可能である。
【発明の効果】
【００１２】
以上の説明から明らかなように、本発明によれば、シャワーを浴びやすくすることができると同時に手摺を使いやすくすることができるために、入浴をより快適にすることができる。
【発明を実施するための最良の形態】
【００１３】
図１に本発明の実施の形態を示す。図１において、１１は浴槽、１２はカウンタ１３や水栓１４、鏡１５などに面した洗い場であり、シャワーハンガ付き手摺Ａは、浴槽１１と洗い場１２の行き来や洗い場１２で腰掛けたり立ち上がったりしたときなどに手が容易に届く位置である浴槽１１と洗い場１２の境界部分の浴室壁面（壁面２）に取り付けられる。
【００１４】
このシャワーハンガ付き手摺Ａは、図２ないし図４に示すように、ブラケット３によって浴室壁面２に取り付けられる手摺杆１と、手摺杆１に連結されるシャワーハンガ６とを有する。手摺杆１は、ステンレス製のパイプ１６の両端を合成樹脂材からなるキャップ１７で閉塞して形成され、図２（ａ）に示すようにパイプ１６の内壁面にキャップ１７の弾性脚１７ａが圧接し、またパイプ１６に開設される係止孔１６ａに弾性脚１７ａを係止させることによりキャップ１７がパイプ１６に固定される。パイプ１６は握りやすいように外径が３０ミリ程度の円形断面に形成され、その長さは、手摺としての使い勝手や後述するシャワーハンガ６に望ましいスライド範囲等を考慮して適宜決定される。一方、キャップ１７は、例えばＡＢＳ樹脂にクロムメッキを施して形成されることによりステンレスからなる手摺杆１とのデザインの調和が図られる。
【００１５】
手摺杆１を浴室壁面２に固定するブラケット３は、ブラケット本体３ａにブラケットカバー３ｂを装着して形成され、上記キャップ１７同様ＡＢＳ樹脂のクロムメッキにより形成される。ブラケット本体３ａは、手摺杆１への取付壁と浴室壁面２への取付壁とを対向面に備えたほぼ中空ボックス形状で、浴室壁面２に対してネジ止めしやすくするように、上記手摺杆１取付壁から浴室壁面２取付壁側に行くにしたがって広がるようにして形成されるとともに、適宜の一面を開放して形成される。また、上記手摺杆１への取付壁の外面は手摺杆１の外周に嵌合可能な曲面に形成され、浴室壁面２への取付壁には、手摺杆１への固定壁を手摺杆１に対してネジ止めしやすくするように図示しない開口部が開設される。このブラケット本体３ａは、図３（ａ）に示すように、浴室壁面２から手摺杆１が邪魔になるほど過度に突出することなく握りやすい程度の適宜の間隔Ｓ１を隔てて固定できるように、具体的には上記浴室壁面２への取付壁によって浴室壁面２に取り付けた際に手摺杆１への取付壁が壁面２から５０ミリ程度離れるように形成される。
【００１６】
上記ブラケット本体３ａは、手摺杆１を鉛直方向に向けて固定するために手摺杆１の上下端に対応して浴室壁面２に上下方向に一対固定され、上述したネジ止めのための開放面は、ネジ止めしやすさを考慮して手摺杆１の上端に対応するブラケット本体３ａにおいては上面側に、下端に対応するものにおいては下面側に配置される。また、上記開放面は、ブラケット本体３ａの浴室壁面２への固定後にブラケット本体３ａに装着されるブラケットカバー３ｂによって閉塞され、これによりブラケット３の外観が高められる。なお、ブラケットカバー３ｂはブラケット本体３ａに対して嵌合により固定される。
【００１７】
一方、シャワーハンガ６は、図２および図３に示すように、手摺杆１に連結されるガイドアーム１８と、ガイドアーム１８の先端に取り付けられ、シャワーヘッド４を保持可能に形成されるハンガブロック１９とを有する。
【００１８】
ガイドアーム１８は、略円筒状に形成されるホルダ２０の上部から手摺杆１に対してほぼ直角方向にアーム２１を延設して形成される。上記ホルダ２０は合成樹脂材により形成されて手摺杆１の外径よりもやや大きい程度の内径を備え、中空部に手摺杆１が挿通されることにより手摺杆１に沿ってスライド移動自在で、かつ、手摺杆１回りに水平回転自在であり、シーソースイッチ状のストッパ２２によって手摺杆１の任意の位置に固定できるように形成される。
【００１９】
ストッパ２２は、ホルダ２０に形成される軸部２３に垂直回転自在に連結されて回動操作により手摺杆１に圧接する固定姿勢と手摺杆１から離れる開放姿勢とに移行可能で、図３（ｂ）に示す固定姿勢から図における矢印方向にやや押圧することにより開放姿勢に移行する。このストッパ２２はねじりバネ２４によって固定姿勢側に付勢され、シャワーの水圧等によって妄りにガイドアーム１８が移動することが防止される。
【００２０】
アーム２１は、手摺杆１より細径のステンレスパイプ１６によって形成され、ホルダ２０から手摺杆１に対して直交方向に膨隆するボス２０ａに一端が外嵌し、ボス２０ａに対してネジ止めされることによりホルダ２０に取り付けられる。このアーム２１はハンガブロック１９によってシャワーヘッド４を保持した際にシャワーヘッド４やシャワーホース５が手摺杆１から握りやすい程度の間隔Ｓ２を隔てるように、具体的には図２（ｂ）に示すように手摺杆１の外周からシャワーホース５等の中心軸線、すなわち後述するハンガ部２５の開口２５ａの中心を通る垂線Ｃまでおよそ１２０ミリ程度離れるような長さに形成される。また、アーム２１のホルダ２０に対する反対端は、ハンガブロック１９に形成されるボス１９ａに外嵌し、このボス１９ａにネジ止めされることにより、ハンガブロック１９に取り付けられる。
【００２１】
ハンガブロック１９は、横向きのほぼ円柱状に形成され、上記のボス１９ａが形成されてアーム２１が連結されるベースブロック２６と、シャワーヘッド４を保持可能なハンガ部２５を備えてベースブロック２６に連結されるヘッドブロック２７とを有する。上記ハンガ部２５は断面略Ｃ字形状に形成され、シャワーホース５を開口２５ａから挿入してシャワーホース５に案内されるシャワーヘッド４を自重によってハンガ部２５に係止させることによりシャワーヘッド４を保持する一般的なシャワーフックと同じ構造のもので、洗い場１２側からシャワーヘッド４を係止しやすいように開口２５ａは浴室壁面１の反対側、すなわち洗い場１２に向いて配置される。
【００２２】
また、上記ヘッドブロック２７とベースブロック２６は、図３（ｂ）および図４（ｂ）に示すように、空転自在に連結されるボルト３９とナット４０によって連結されるとともに、ベースブロック２６に形成される円弧状のガイド溝２６ａ内にヘッドブロック２７に形成されるガイド突起２７ａが差し込まれることにより、上記ボルト２８を回転中心にして、ガイド溝２６ａ内におけるガイド突起２７ａの摺動可能範囲内で垂直回転可能に連結される。このガイド溝２６ａは、ハンガ部２５に引っ掛けられたシャワーヘッド４が脱落しないように、図４（ｂ）に示すように上記ボルト２８を中心に３０度程度の角度に渡って設けられ、したがってベースブロック２６に対してヘッドブロック２７を回転させることにより、図４（ｃ）において実線で示すようにシャワーヘッド４をほぼ鉛直方向に保持する通常姿勢から、二点鎖線で示すようにシャワーヘッド４を浴室内方側にやや傾斜した状態で保持する傾斜姿勢までハンガ部２５を回転させることができる。なお、ハンガブロック１９は、上記ガイド溝２６ａとガイド突起２７ａの間に生じる摩擦などによってシャワーヘッド４の水圧等により不用意に回転することが防止される。
【００２３】
したがって、以上のシャワーハンガ付き手摺Ａは、先ず、パイプ１６にキャップ１７、１７を取り付けて手摺杆１をサブアッセンブリするとともに、ベースブロック２６とヘッドブロック２７をボルトナットで連結して形成されるハンガブロック１９にアーム２１、ホルダ２０を組み付けてガイドアーム１８をサブアッセンブリした後、ガイドアーム１８の中空部に手摺杆１を挿通させ、この後、手摺杆１をブラケット本体３ａ、３ａに、ブラケット本体３ａ、３ａを浴室壁面２に取り付けて、最後にブラケットカバー３ｂ、３ｂを装着することにより浴室に設置することができる。また、設置状態においては、手摺杆１が浴室壁面２から握りやすい程度適度に離れて固定されるために、掴みやすい上に洗い場１２から手が届きやすく、さらに、腰掛けた姿勢や立ち上がった姿勢のままで十分に手が届く程度の長さを備えて浴槽１１と洗い場１２の境界に配置されるために、洗い場１２での姿勢の変更や洗い場１２と浴槽１１との行き来の際に身体の支えとして使用することができる。
【００２４】
一方、手摺杆１に取り付けられるシャワーハンガ６は、図２（ｂ）、図３（ａ）や図4（ｃ）において二点鎖線で示すように、手摺杆１に沿って上下方向にスライド移動自在であるとともに、手摺杆１回りに水平回転自在であり、かつ、手摺杆１に対してシャワーヘッド４を適度な範囲内で垂直回転させて保持することができるために、洗い場１２での位置や姿勢に合わせてシャワーヘッド４の位置を調整して散水範囲を調節することができ、洗い場１２で腰掛けた姿勢や立ち上がった姿勢に合わせてシャワーを浴びることができる。さらに、上述したように洗い場１２から手が届きやすい手摺杆１にシャワーハンガ６を連結することにより、調節のためのストッパ２２等への操作も楽にすることができる。加えて、シャワーハンガ６によってシャワーヘッド４やシャワーホース５が手摺杆１から適度に離されることから、上述した手摺杆１の握りやすさが損ねられることはない。
【００２５】
また、この実施の形態において、シャワーハンガ付き手摺Ａは、さらに使い勝手を向上させるために水平回転機構を備える。この水平回転機構は、手摺杆１に対してハンガブロック１９をスライド移動不能な状態に維持したまま水平回転可能にするもので、アーム２１を備える上部ブロック２８とストッパ２２を備える下部ブロック２９を水平回転可能に連結して上述したガイドアーム１８を構成することにより形成される。
【００２６】
図３（ｂ）に示すように、上記上部ブロック２８には外周側から内周側に向かって掘り込むことにより下端部に断面Ｌ字形状の連結片３０が全周に渡って連続して設けられ、一方、下部ブロック２９の上端部には、手摺杆１に面する内周側から外周側に向かって掘り込むことにより上記連結片３０に係合可能な断面逆Ｌ字形状の被連結片３１が設けられる。したがって、やや弾性変形を伴って連結片３０と被連結片３１を係合させて上部ブロック２８と下部ブロック２９を連結させることによりガイドアーム１８を形成することができ、この状態で連結片３０と被連結片３１を摺動させることによりスイッチ２２によって手摺杆１に固定された下部ブロック２９に対して上部ブロック２８を独立して水平回転させ、アーム２１を介してハンガブロック１９を下部ブロック２９、すなわち手摺杆１に対して水平回転させることができる。
【００２７】
さらに、ハンガブロック１９の手摺杆１に対する水平回転範囲を規制してハンガブロック１９の浴室壁面２への衝接や洗い場１２方向への突出を防止するために、上述した水平回転機構には回転規制手段が設けられる。回転規制手段は、図３（ｂ）や図４（ａ）に示すように、上述した連結片３０にガイドピン３２を設け、被連結片３１にガイドスリット３３を設けることにより形成されるもので、連結片３０と被連結片３１の係合に伴ってガイドピン３２がガイドスリット３３内に収容される。これにより、上部ブロック２８と下部ブロック２９の相対水平回転は、ガイドスリット３３内におけるガイドピン３２の移動可能範囲内、すなわち、ガイドスリット３３の回転中心に対する形成角度に限られ、この実施の形態においては、図３（ａ）において２点鎖線で示すように、ハンガブロック１９が手摺杆１の軸心を通る垂直平面Ｆより壁面２側に後退する後退姿勢と、洗い場１２側にやや飛び出す前進姿勢とに移行可能な範囲Ｌに設定される。なお、ハンガブロック１９は、上記ガイドピン３２とガイドスリット３３の間に生じる摩擦などによってシャワーヘッド４の水圧等により不用意に回転することが防止される。
【００２８】
したがってこの実施の形態において、ハンガブロック１９を後退姿勢にし、かつハンガ部２５を傾斜姿勢にすることにより、浴室壁面２近傍、すなわち鏡等にかなり近い位置でシャワーを浴びることができ、また、この状態においてシャワーヘッド４やシャワーホース５が手摺杆１の斜め後方に配置されるために、手摺杆１は前面など、すなわち洗い場１２側から握りやすい状態になる。例えば、手摺杆１を握ったままシャワーを浴びたい場合などにおいては、手摺杆１をしっかりと握りやすくすることができると同時に、シャワーを適切に浴びることができる。
【００２９】
さらに、シャワー不使用時にはハンガブロック１９を後退位置にすることでシャワーヘッド４やシャワーホース５が浴室壁面２に沿うようになり、あまり邪魔にならず、一方、シャワーヘッド４をシャワーハンガ６から取り外したい時には、ハンガブロック１９を前進姿勢にするだけで手摺杆１とほぼ同位置、すなわち手が十分届く範囲にシャワーヘッド４を移動させることができる。また、ハンガブロック１９の洗い場１２側への回転範囲が適宜規制されることにより、洗い場１２側へのハンガブロック１９等の過度な突出によりけが等を誘発することもない。
【００３０】
加えて、ハンガブロック１９の後退姿勢への移動に伴ってシャワーヘッド４も手摺杆１回りに回転するために、シャワーの散水範囲が手摺杆１の前面等から手摺杆１のやや斜め方向に変位する。したがって図１に示すように浴槽１１と洗い場１２の境界に手摺杆１を固定し、手摺杆１の洗い場１２側にするこの実施の形態においては、ハンガブロック１９を後退姿勢にすることにより、洗い場１２の鏡１５等の正面に向かってシャワーの散水範囲を設定することができる。
【００３１】
図５に本発明の変形例を示す。なお、この変形例において、上述した実施の形態と同一の構成要素は図中に同一の符号を付して説明を省略する。この変形例において、ガイドアーム１８の上部ブロック２８は、上述した実施の形態におけるアーム２１とベースブロック２６を兼ねて形成される。この上部ブロック２８は合成樹脂材により略円柱状に形成され、手摺杆１が挿通される開口部や下部ブロック２９に連結される連結片３０等を基端部に備えるとともに、ヘッドブロック２７が連結される先端部側に行くにしたがって漸次やや小径となる柱状のアーム部３４を備える。また、連結片３０は下部ブロック２９の被連結片３１に、ガイドピン３２がガイドスリット３３内に滑動自在に係止、挿入され、ハンガブロック１９を前進・後退姿勢に保持するために上部ブロック２８の基端部にはハンドル３５が形成される。
【００３２】
ハンドル３５は、図５（ｂ）および（ｃ）に示すように、ハンドルキャップ３６にハンドルピン３７を連結して形成され、上記ハンドルキャップ３６は上部ブロック２８の基端部に形成されるキャップ連結部３８に連結され、ハンドルピン３７はハンドルキャップ３６のピン孔３６ａに挿入される。ハンドルキャップ３６は、有底円筒形状のキャップ部３６ｂと、キャップ部３６ｂの底壁から側壁を越える高さまで円柱状に突出して形成される突き当て部３６ｃとを有し、キャップ部３６ｂの側壁内方に適宜の間隙を隔てて突き当て部３６ｃが形成される。また、ハンドルピン３７は、棒状に形成されてキャップ部３６ｂの側壁に開設される上述したピン孔３６ａに差し込まれて嵌合固定され、挿入先端はキャップ部３６ｂと突き当て部３６ｃの間の間隙に至る。
【００３３】
一方、上述したキャップ連結部３８は、上部ブロック２８の基端部に円筒状に突出して形成されるキャップ受け部３８ａと、キャップ受け部３８ａに形成される切り欠き部３８ｂとを有する。上記キャップ受け部３８ａは、キャップ部３６ｂの内径よりやや小さい外径と突き当て部３６ｃの外径よりやや大きい内径を備え、内部の空隙が上部ブロック２８の中空部に連通する。このキャップ受け部３８ａはキャップ部３６ｂと突き当て部３６ｃの間隙に差し込まれるようにして挿入され、挿入後にピン孔３６ａに挿入されるハンドルピン３７の先端が切り欠き部３８ｂに差し込まれることにより抜け止めされるハンドルキャップ３６を垂直回転可能に保持する。また、切り欠き部３８ｂは、ハンドルピン３７の直径よりやや大きい幅を備えてキャップ受け部３８ａの側面に設けられるスリットであり、キャップ受け部３８ａ周りに上部ブロック２８の先端側に漸次近接するように延設されて形成される。
【００３４】
このため、ハンドル３５を回転操作すると、回転に伴って切り欠き部３８ｂ内を移動するハンドルピン３７にガイドされてハンドルキャップ３６がハンドル３５ブロックの先端側に移動し、同時に突き当て部３６ｃがハンドル３５ブロックの中空部内に進入して中空部に挿通される手摺杆１を側方から押圧するため、上部ブロック２８が手摺杆１に移動不能に固定される。このハンドル３５の固定は再びハンドル３５を逆方向に回転させることにより解除可能であり、したがってハンガブロック１９の位置を決めた後ハンドル３５を回転操作してハンガブロック１９を固定し、この後再度ハンガブロック１９の位置を変更したい場合には、再度ハンドル３５を操作すればよい。
【００３５】
以上の変形例においては、ハンドル３５を設けることにより下部ブロック２９、すなわち手摺杆１に対するハンガブロック１９の水平回転操作をスムーズにすることができる。なお、この変形例においては、例えば上部ブロック２８の先端に所定角度回転可能なヒンジを介してヘッドブロック２７を連結することにより、ハンガ部２５を通常姿勢から傾斜姿勢まで回転可能にすることが可能である。
【００３６】
なお、以上の実施の形態においては、シーソースイッチ状のストッパ２２で手摺杆１を押圧することによりガイドアーム１８を手摺杆１に固定する場合を示したが、ガイドアーム１８と手摺杆１の固定は単にガイドアーム１８の開口部を手摺杆１の外径よりもやや小さくするなどして摺動抵抗を高めたり、あるいは上記変形例におけるハンドル３５などによっても行うことが可能である。また、上部ブロック２８と下部ブロック２９およびベースブロック２６とヘッドブロック２７における回転自在な連結構造やハンガブロック１９等の姿勢保持手段についても同様にハンドル３５等を設けるなどして適宜変更することが可能である。
【図面の簡単な説明】
【００３７】
【図１】本発明を示す図で、浴室の全体斜視図である。
【図２】本発明のシャワーハンガ付き手摺を示す図で、（ａ）は側面図、（ｂ）は正面図である。
【図３】シャワーハンガを説明する図で、（ａ）は本発明のシャワーハンガ付き手摺の平面図、（ｂ）はシャワーハンガの構造を示す要部断面図である。
【図４】シャワーハンガを説明する図で、（ａ）は図３（ｂ）における４Ａ-４Ａ線断面図、（ｂ）は図３（ｂ）における４Ｂ-４Ｂ線断面図、（ｃ）はシャワーヘッド等の動作を説明する図である。
【図５】本発明の変形例を示す図で、（ａ）は平面図、（ｂ）は要部側面図、（ｃ）はハンドルの構造等を説明する要部側面図である。
【符号の説明】
【００３８】
１  手摺杆
２  壁面
３  ブラケット
４  シャワーヘッド
５  シャワーホース
６  シャワーハンガ
【図１】
2006187486.tif 000003
【図２】
2006187486.tif 000004
【図３】
2006187486.tif 000005
【図４】
2006187486.tif 000006
【図５】
2006187486.tif 000007